(57)【要約】【課題】ベルトに対して固定状態としたり、逆に移動可能状態に切替えきるようにする。【解決手段】１本の腰ベルト３が選択的に挿通すると共に腰ベルト３を囲む第一のベルト挿通具４と第二のベルト挿通具５とを備える。第一のベルト挿通具４はエラストマーによる滑り止め部材９によって腰ベルト３との摩擦係数を高くし、第二のベルト挿通具５は腰ベルト３との摩擦係数を低くするように形成する。１個のベルト装着具において、腰ベルト３を第一のベルト挿通具４又は第二のベルト挿通具５の内側に挿通した状態で、腰ベルト３との摩擦係数を異ならせる。これにより、収納部１を腰ベルト３に対して固定状態とさせたり、逆に摺動しやすいようにできる。【選択図】図２
0003154572.tif 000002
【実用新案登録請求の範囲】
【請求項１】
ベルトが挿通可能な前記ベルトを囲むベルト挿通具を装着具本体に設けたベルト装着具において、前記ベルト挿通具には、前記ベルトが選択的に挿通する第一のベルト挿通孔と第二のベルト挿通孔が設けられると共に、前記第一のベルト挿通孔の前記ベルトとの接触面の一方の摩擦係数と、前記第二のベルト挿通孔の前記ベルトとの接触面の他方の摩擦係数とを異なるように形成することを特徴とするベルト装着具。
【請求項２】
ベルトが挿通可能な前記ベルトを囲むベルト挿通具を装着具本体に設けたベルト装着具において、前記ベルト挿通具には、前記ベルトが選択的に挿通する第一のベルト挿通具と第二のベルト挿通具が設けられると共に、前記第一のベルト挿通具の前記ベルトとの接触面の第一の摩擦係数と、前記第二のベルト挿通具の前記ベルトとの接触面の第二の摩擦係数とを異なるように形成することを特徴とするベルト装着具。
【請求項３】
前記第一のベルト挿通具は第一の基端を前記装着具本体側に接続し、該第一のベルト挿通具の第一の先端を上方に向けると共にその第一の先端を第一の折り返し部を介して下方に折り返して前記装着具本体側に接続し、前記第二のベルト挿通具は前記第一のベルト挿通具に添って設けられ、該第二のベルト挿通具の第二の基端を前記装着具本体側に接続し、該第二のベルト挿通具の第二の先端を上方に向けると共にその第二の上端を第二の折り返し部を介して下方に折り返して前記装着具本体側に接続したことを特徴とする請求項２記載のベルト装着具。
【請求項４】
前記第一のベルト挿通具の前記ベルトとの接触面に滑り止め部材を設けたことを特徴とする請求項３記載のベルト装着具。
【請求項５】
前記第一の折り返し部に前記滑り止め部材を設けると共に、この滑り止め部材をエラストマーにより形成したことを特徴とする請求項４記載のベルト装着具。
【請求項６】
前記ベルトは腰ベルトであり、前記装着具本体に被収納物の収納部が設けられ、前記第一のベルト挿通具及び前記第二のベルト挿通具は可撓性材によって形成されていると共に、前記第一のベルト挿通具の内側又は外側に沿って前記第二のベルト挿通具を設けることを特徴とする請求項４記載のベルト装着具。
【考案の詳細な説明】
【技術分野】
【０００１】
本考案は、腰ベルト等のベルトに装着するツールホルダ等のベルト装着具に関するものである。
【背景技術】
【０００２】
従来、この種のものとして腰ベルトに吊り下げ、各種の工具や部品などを収納するツールホルダが知られている。このようなツールホルダは工具を収納する本体の上部に腰ベルトが挿通するベルト挿通具が設けられるものであって、例えば工具の収納部を設けた本体の上部を外側に折り曲げてその内側に腰ベルトが挿通可能な横向きの孔を形成したものが知られている（例えば、特許文献１）。
【特許文献１】実用新案登録第３０９２２８０号公報
【考案の開示】
【考案が解決しようとする課題】
【０００３】
各種の工具や部品などを適宜使用する作業にあっては、ツールホルダに各種の工具や部品を収納した状態で、腰ベルト、ひいては作業者の腰に対して固定位置にあって欲しいものや腰ベルトに対して移動可能にあって欲しいものがある。例えば固定位置にあって欲しいものは比較的重いものであり、これは作業中に安定した姿勢等を保つためである。逆に、移動可能にあって欲しいものは比較的軽いものであり、これはツールホルダ等を腰ベルトに沿って動かして手が届き易くするなどのためである。
【０００４】
しかしながら、従来技術においては、腰ベルトが挿通する挿通具は１箇所しかなく、したがって腰ベルトと挿通具との接触摩擦は同一であり、この結果１個のツールホルダにおいて、腰ベルトに対して固定状態としたり、逆に移動可能状態に切替するようなことはできなかった。
【０００５】
解決しようとする問題点は、ベルトに装着するベルト装着具において、ベルトに対して固定状態としたり、逆に移動可能状態に切替えきるようにする点である。
【課題を解決するための手段】
【０００６】
請求項１の考案は、ベルトが挿通可能な前記ベルトを囲むベルト挿通具を装着具本体に設けたベルト装着具において、前記ベルト挿通具には、前記ベルトが選択的に挿通する第一のベルト挿通孔と第二のベルト挿通孔が設けられると共に、前記第一のベルト挿通孔の前記ベルトとの接触面の一方の摩擦係数と、前記第二のベルト挿通孔の前記ベルトとの接触面の他方の摩擦係数とを異なるように形成することを特徴とするベルト装着具である。
【０００７】
請求項２の考案は、ベルトが挿通可能な前記ベルトを囲むベルト挿通具を装着具本体に設けたベルト装着具において、前記ベルト挿通具には、前記ベルトが選択的に挿通する第一のベルト挿通具と第二のベルト挿通具が設けられると共に、前記第一のベルト挿通具の前記ベルトとの接触面の第一の摩擦係数と、前記第二のベルト挿通具の前記ベルトとの接触面の第二の摩擦係数とを異なるように形成することを特徴とするベルト装着具である。
【０００８】
請求項３の考案は、前記第一のベルト挿通具は第一の基端を前記装着具本体側に接続し、該第一のベルト挿通具の第一の先端を上方に向けると共にその第一の先端を第一の折り返し部を介して下方に折り返して前記装着具本体側に接続し、前記第二のベルト挿通具は前記第一のベルト挿通具に添って設けられ、該第二のベルト挿通具の第二の基端を前記装着具本体側に接続し、該第二のベルト挿通具の第二の先端を上方に向けると共にその第二の上端を第二の折り返し部を介して下方に折り返して前記装着具本体側に接続したことを特徴とする請求項２記載のベルト装着具である。
【０００９】
請求項４の考案は、前記第一のベルト挿通具の前記ベルトとの接触面に滑り止め部材を設けたことを特徴とする請求項３記載のベルト装着具である。
【００１０】
請求項５の考案は、前記第一の折り返し部に前記滑り止め部材を設けると共に、この滑り止め部材をエラストマーにより形成したことを特徴とする請求項４記載のベルト装着具である。
【００１１】
請求項６の考案は、前記ベルトは腰ベルトであり、前記装着具本体に被収納物の収納部が設けられ、前記第一のベルト挿通具及び前記第二のベルト挿通具は可撓性材料によって形成されていると共に、前記前記第一のベルト挿通具の内側又は外側に沿って前記第二のベルト挿通具を設けることを特徴とする請求項４記載のベルト装着具である。
【考案の効果】
【００１２】
請求項１の考案によれば、１個のベルト装着具において、ベルト挿通孔におけるベルトとの摩擦係数を異ならせて、装着具本体をベルトに対して固定状態としたり、逆に摺動しやすいようにして、ベルトに対して２種類の使用方法が可能となる。
【００１３】
請求項２の考案によれば、１個のベルト装着具において、ベルト挿通具におけるベルトとの摩擦係数を異ならせて、装着具本体をベルトに対して固定状態としたり、逆に摺動しやすいようにして、ベルトに対して２種類の使用方法が可能となる。
【００１４】
請求項３の考案によれば、ベルトを通したときに使っていない側のベルト挿通具が不用意にあらわれるようなことはない。
【００１５】
請求項４の考案によれば、滑り止め部材によってベルトを確実に固定状態にすることができる。
【００１６】
請求項５の考案によれば、エラストマーにベルトを確実に当接させることができる。
【００１７】
請求項６の考案によれば、第一のベルト挿通具及び前記第二のベルト挿通具が設けられていても大きく嵩張るようなことはなくツールホルダーなどの作業用品として使用することができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図１〜４は実施例１を示しており、被収納物である各種の工具や部品等を収納する装着具本体である収納部１は上部開口２を有する有底袋状であって、皮革、或いは発泡ポリエチレンのラミネートシート（図示せず）をナイロン繊維からなる織布で挟んで、その表面を撥水加工したもの等によって形成されている。
【００２０】
収納部１の後述する一側外周面の上部に、ベルトである１本の腰ベルト３が挿通し、この腰ベルト３を囲んで腰ベルと３が貫通するベルト挿通具４，５が設けられている。このベルト挿通具４，５は、それぞれの第一のベルト挿通孔６、第二のベルト挿通孔６Ａが収納部１の作業員の腰に当たるような一側外周面７の上部に横向きに設けられたものであって、このベルト挿通具４，５においては、第一のベルト挿通具４の内側に、該第一のベルト挿通具４の内側、すなわち収納部１側に沿って第二のベルト挿通具５がわずかな隙間８を介して重ね合わされるように設けられている。この隙間８は左右方向を貫通するように第一のベルト挿通具４の上下方向に沿って設けられている。
【００２１】
前記第一のベルト挿通具４は、収納部１の一側外周面７とほぼ同じ幅を有する第一の基端４Ａを装着具本体側である一側外周面７の上部に接続し、第一のベルト挿通具４の二股状に形成された第一の先端４Ｂを上方に向けると共に、第一の折り返し部４Ｃを介して外側下方に折り返して一側外周面７の上下方向の中間部に接続する。さらに、第二のベルト挿通具５は第一のベルト挿通具４に添って隙間８を介して設けられた左右一対のベルトからなり、第二のベルト挿通具５の第二の基端５Ａを第一の基端４Ａの内側であって一側外周面７の上部に接続する。さらに第二のベルト挿通具５の第二の先端５Ｂは第二の折り返し部５Ｃを介して外側下方に折り返して、第一の先端４Ｂの内側であって一側外周面７の上下方向の中間部に接続するものである。
【００２２】
そして、第一のベルト挿通具４は、その本体４Ｆを、皮革やナイロン繊維からなる織布のような可撓性材料によって形成し、この本体の内側、すなわち第二のベルト挿通具５に対向する面に、本体４Ｆよりも摩擦係数が高い材料、例えばエラストマーからなる滑り止め部材９を設ける。エラストマーは、常温でゴム状弾性を有するもので、例えば天然ゴム、各種の合成ゴム、再生ゴム、或いはアクリル系樹脂によって形成されており、実施例では、細長な帯状のエラストマーを第一のベルト挿通具４の内面４Ｄの第一の折り返し部４Ｃ側から下部にかけて設けられている。第一のベルト挿通具４の外面４Ｅは、ナイロン繊維からなる織布があらわれている。
【００２３】
一方、第二のベルト挿通具５の全体は、ナイロン繊維からなる織布によって形成されたもので、その内面５Ｄ及び外面５Ｅにあらわれる。
【００２４】
そして、第一のベルト挿通孔６は、皮革やナイロン繊維からなる織布からなる第一のベルト挿通具４の内面４Ｄ、同じくナイロン繊維からなる織布からなる第二のベルト挿通具５の外面５Ｅによって囲まれると共に、内面４Ｄの内側に滑り止め部材９が配置されることとなり、腰ベルト３が接触する内面４Ｄ、外面５Ｅ及び滑り止め部材９の表面の摩擦係数をそれぞれ、μ（４Ｄ）、μ（５Ｅ）、μ（９）とすると、μ（９）＞μ（４Ｄ）、μ（５Ｅ）のように滑り止め部材９の表面の摩擦係数は他の箇所より高く形成されている。また、第二のベルト挿通孔６Ａは、ナイロン繊維からなる織布からなる第二のベルト挿通具４の内面５Ｄ、同じくナイロン繊維からなる織布からなる一側外周面７によって囲まれて形成される。そして、腰ベルト３が接触する内面５Ｄ及び一側外周面７の表面の摩擦係数をそれぞれ、μ（５Ｄ）、μ（７）とすると、μ（９）＞μ（５Ｄ）、μ（７）のように滑り止め部材９の表面の摩擦係数は他の箇所より高く形成されている。この結果、第一のベルト挿通具４に滑り止め部材９を設けた第一のベルト挿通孔６の腰ベルト３との一方の摩擦係数である第一の摩擦係数、実施例ではμ（９）の方が、第二のベルト挿通具５に滑り止め部材は設けられていない第二のベルト挿通孔６Ａの腰ベルト３との他方の摩擦係数である第二の摩擦係数、実施例では摩擦係数μ（５Ｄ）、μ（７）の摩擦係数よりも高く形成されている（μ（９）＞μ（５Ｄ）、μ（７））。
【００２５】
尚、摩擦係数は、２つの物体の接触面に働く摩擦力の大きさＦと、２面を垂直に押し付けている力（垂直荷重）の大きさの力Ｐとの比μ＝Ｆ／Ｐをいうもので、運動摩擦係数と静止摩擦係数との種類があり、上記μ（９）などは、運動摩擦係数又は静止摩擦係数のいずれの場合であってもよい。μの値は、材料の組合せの他に、面の清浄度、あらさ、潤滑材の有無、質などによって変化する。
【００２６】
次に前記構成についてその作用を説明する。収納部１に比較的軽い被収納物が収納された状態では、図１、図３に示すように作業者の腰ベルト３を第二の折り返し部５Ｃの内側に通す。この状態では、腰ベルト３の内面３Ｄは、第二の折り返し部５Ｃにあるナイロン繊維からなる織布からなる内面５Ｄ、さらには同じくナイロン繊維からなる織布からなる一側外周面７に接し、また、腰ベルト３の外面３Ｅも、同じくナイロン繊維からなる織布からなる内面５Ｄに接することとなる。この結果、腰ベルト３と第二のベルト挿通具５との間には、後述するようなエラストマーによる大きな摩擦力は生ずることはなく、このような比較的小さな摩擦力によって腰ベルト３に対して第二のベルト挿通具５、ひいては収納部１を摺動状態になるようにできる。
【００２７】
一方、収納部１に比較的重い被収納物が収納された状態では、図２、図４に示すように作業者の腰ベルト３を内面４Ｄと外面５Ｅとの間の隙間８（第一のベルト挿通孔６）に通す。この状態では、腰ベルト３の内面３Ｄはナイロン繊維からなる織布からなる外面５Ｅに接し、腰ベルト３の外面３Ｅと上面３Ａは、エラストマーからなる滑り止め部材９に接することとなり、両者間には高い摩擦係数が生じ、この結果大きな摩擦力が生し、この大きな摩擦力によって腰ベルト３に対して第一のベルト挿通具４、ひいては収納部１を固定状態になるようにできる。
【００２８】
以上のように、前記実施例では請求項１に対応して、１本の腰ベルト３が挿通可能なこの１本の腰ベルト３を囲むベルト挿通具４，５を収納部１に設け、腰ベルト３が選択的に挿通する第一のベルト挿通孔６と第二のベルト挿通孔６Ａが設けられると共に、滑り止め部材９を設けた第一のベルト挿通孔６の腰ベルト３との接触面、実施例では腰ベルト３の上面３Ａと滑り止め部材９との接触面の一方の摩擦係数（μ（９））と、第二のベルト挿通孔６Ａの内面５Ｄ、一側外周面７と腰ベルト３との接触面の他方の摩擦係数μ（５Ｄ）、μ（７）とを異なる（μ（９）＞μ（５Ｄ）、μ（７））ように形成することで、収納部１を腰ベルト３に対して固定状態とさせたり、逆に摺動しやすいようにして、腰ベルト３に対して２種類の使用方法が可能となる。
【００２９】
さらに、実施例では請求項２に対応して、腰ベルト３が選択的に挿通すると共に腰ベルト３を囲む第一のベルト挿通具４と第二のベルト挿通具５とを備え、第一のベルト挿通具４は滑り止め部材９によって腰ベルト３との摩擦係数を高くし、第二のベルト挿通具５は腰ベルト３との摩擦係数を低くするように形成したことで、１個のベルト装着具において、腰ベルト３を挿通した状態で、腰ベルト３との摩擦係数を異ならせて、収納部１を腰ベルト３に対して固定状態とさせたり、逆に摺動しやすいようにして、腰ベルト３に対して２種類の使用方法が可能となる。
【００３０】
また、実施例では請求項３に対応して、第一のベルト挿通具４は、第一の基端４Ａを一側外周面７に接続し、第一のベルト挿通具４の第一の先端４Ｂを上方に向けると共にその第一の先端４Ｂを第一の折り返し部４Ｃを介して下方に折り返して装着具本体たる収納部１の一側外周面７に接続し、第二のベルト挿通具５は、第一のベルト挿通具４の内側に添って隙間８を介して設けられ、該第二のベルト挿通具５の第二の基端５Ａを一側外周面７一側周面部に接続し、該第二のベルト挿通具５の第二の先端５Ｂを上方に向けると共にその第二の先端５Ｂを第二の折り返し部５Ｃを介して下方に折り返して一側外周面７に接続したことにより、第一のベルト挿通具４と第二のベルト挿通具５とが隙間８を有して重なっていることで、外見的には第一のベルト挿通具４と第二のベルト挿通具５とが一体化しているので、腰ベルト３を通したときに使っていない側のベルト挿通具４，５が不用意にあらわれるようなことはない。
【００３１】
前記実施例では請求項４に対応して、第一のベルト挿通具４の腰ベルト３との接触面に滑り止め部材９を設けたことにより、第一のベルト挿通具４においては、腰ベルト３と高い摩擦係数を生じさせることができ、この結果腰ベルト３を確実に固定状態にすることができる。
【００３２】
前記実施例では請求項５に対応して、第一の折り返し部４Ｃに滑り止め部材９を設けたことにより、図２の状態では腰ベルト３は第一の折り返し部４Ｃの内側に配置されることで、滑り止め部材９に腰ベルト３を確実に当接させることができる。
【００３３】
前記実施例では請求項６に対応して、前記ベルトは腰ベルト３であり、装着具本体に被収納物の収納部１が設けられていることで、ツールホルダーなどの作業用品として使用することができる。また、第一のベルト挿通具５及び第二のベルト挿通具６は可撓性材料によって形成されていると共に、前記第一のベルト挿通具５の内側に沿って第二のベルト挿通具６を設けることで、第二のベルト挿通具６に配置状態を変えて図３に示すように第二のベルト挿通孔６Ａを形成したり、図４に示すように第一のベルト挿通孔６を形成したりすることができ、しかも第一のベルト挿通具５及び第二のベルト挿通具６が重なり合うことで嵩張るようなことはない。
【産業上の利用可能性】
【００３４】
以上のように本考案にかかるは、各種の用途に適用できる。例えば、ベルトを囲む箇所であり、第二のベルト挿通孔の一部を形成する収納部の一側外周面と、ベルトとの摩擦係数を、第一のベルト挿通具側での摩擦係数とを異なるようにしてもよい。また、実施例では前記第一のベルト挿通具の内側に沿って前記第二のベルト挿通具を設けたが、外側に沿って設けるようにしてもよい。
【図面の簡単な説明】
【００３５】
【図１】本考案の第１実施例を示す第二のベルト挿通部に腰ベルトを通した状態の斜視図である。
【図２】同第一のベルト挿通部に腰ベルトを通した状態の斜視図である。
【図３】同第二のベルト挿通部に腰ベルトを通した状態の要部の断面図である。
【図４】同第一のベルト挿通部に腰ベルトを通した状態の要部の断面図である。
【符号の説明】
【００３６】
１  収納部（装着具本体）
３  腰ベルト（ベルト）
４  第一のベルト挿通具
４Ａ  第一の基端
４Ｂ  第一の先端
４Ｃ  第一の折り返し部
５  第二のベルト挿通具
５Ａ  第二の基端
５Ｂ  第二の先端
５Ｃ  第二の折り返し部
６  第一のベルト挿通孔
６Ａ  第二のベルト挿通孔
７  一側外周面
９  滑り止め部材
【図１】
0003154572.tif 000003
【図２】
0003154572.tif 000004
【図３】
0003154572.tif 000005
【図４】
0003154572.tif 000006